(57)【要約】【課題】長く使用でき愛着のある外装を得ること。また、印象深い花の贈り物を演出すること。【解決手段】包装素材印刷方法は、被包装体の使用者、需用者または被贈答者の記念日に関する情報を入力し、当該記念日に発行された所定の刊行物の記事情報を抽出し、前記被包装体の使用環境に合致した包装素材に当該記事情報とともに前記記念日を印刷する。包装素材印刷装置は、日付を入力する日付入力手段と、日付入力手段により入力された日付の新聞の記事情報を抽出する記事情報抽出手段と、記事情報抽出手段により抽出された記事情報を所定の包装素材に印刷する印刷手段と、を備える。【選択図】　　　　図３
2004142348.tif 000002
【特許請求の範囲】
【請求項１】
被包装体の使用者、需用者または被贈答者の記念日に関する情報を入力し、当該記念日に発行された所定の刊行物の記事情報を抽出し、前記被包装体の使用環境に合致した包装素材に当該記事情報を印刷することを特徴とする包装素材印刷方法。
【請求項２】
日付を入力する日付入力手段と、
日付入力手段により入力された日付の新聞の記事情報を抽出する記事情報抽出手段と、
記事情報抽出手段により抽出された記事情報を所定の包装素材に印刷する印刷手段と、
を備えたことを特徴とする包装素材印刷装置。
【請求項３】
贈答用の生花や造花を選択する花選択手段を備え、
前記所定の包装素材を、花選択手段により選択された花に適した素材としたことを特徴とする請求項２に記載の包装素材印刷装置。
【請求項４】
包装素材を選択する包装素材選択手段を備え、
前記所定の包装素材を包装素材選択手段により選択された素材としたことを特徴とする請求項２または３に記載の包装素材印刷装置。
【請求項５】
新聞を指定する新聞指定手段を備え、
記事情報抽出手段は、日付入力手段により入力された日付の新聞の記事情報であって新聞指定手段により指定された新聞の記事情報を抽出することを特徴とする請求項２、３または４に記載の包装素材印刷装置。
【請求項６】
コンピュータを、
日付を入力する日付入力手段、
日付入力手段により入力された日付の新聞の記事情報を抽出する記事情報抽出手段、および、
記事情報抽出手段により抽出された記事情報を所定の包装素材に印刷する印刷手段として機能させることを特徴とする包装素材印刷プログラム。
【請求項７】
さらに、贈答用の生花や造花を選択する花選択手段として機能させ、
前記所定の包装素材を、前記花選択手段により選択された花に適した素材としたことを特徴とする請求項６に記載の包装素材印刷プログラム。
【請求項８】
さらに、包装素材を選択する包装素材選択手段として機能させ、
前記所定の包装素材を前記包装素材選択手段により選択された素材としたことを特徴とする請求項６または７に記載の包装素材印刷プログラム。
【請求項９】
さらに、新聞を指定する新聞指定手段として機能させ、
記事情報抽出手段を、日付入力手段により入力された日付の新聞の記事情報であって新聞指定手段により指定された新聞の記事情報を抽出するように機能させることを特徴とする請求項６、７または８に記載の包装素材印刷プログラム。
【請求項１０】
日付を入力する日付入力工程と、
日付入力工程で入力された日付の新聞の記事情報を抽出する記事情報抽出工程と、
記事情報抽出工程で抽出された記事情報を所定の包装素材に印刷させる印刷指示工程と、
を含んだことを特徴とする包装素材印刷指示方法。
【請求項１１】
前記請求項１に記載の包装素材印刷方法、前記請求項２〜５のいずれか一つに記載の包装素材印刷装置、前記請求項６〜９のいずれか一つに記載の包装素材印刷プログラム、または、前記請求項１０に記載の包装素材印刷指示方法により印刷されたことを特徴とする包装素材。
【発明の詳細な説明】
【０００１】
【発明の属する技術分野】
本発明は、包装素材印刷方法、包装素材印刷装置、包装素材印刷プログラム、包装素材印刷指示方法および包装素材に関し、特に、特定の記念日に発行された刊行物、たとえば、誕生日の新聞記事を印刷する包装素材印刷方法、包装素材印刷装置、包装素材印刷プログラム、包装素材印刷指示方法および、それらの方法等により印刷された包装素材に関する。
【０００２】
【従来の技術】
従来より友人や知人の祝いの日には、生花や造花を贈ることがおこなわれている。このとき、生花や造花は裸の状態で贈答されるのでなく、通常、鉢や台座とともに何らかのラッピング（包装）が施される。鉢や台座とともにラッピングが施されることにより、単に花のみでなくパッケージ全体として贈り主（贈答元）の気持ちが反映される。一方、贈られる側（贈答先）も、贈り主の心配りに感動し、祝いの日がさらに思い出深いものとなる。したがって、従来では、贈るという行為を通じて贈る側と贈られる側の相互の深交がより深まるものとなっていた。
【０００３】
【発明が解決しようとする課題】
しかしながら、従来では以下の問題点があった。
すなわち、贈られる側へは同様に多数の人から花が贈られることが想定されるため、贈り主側の心情としては差別化を図りたいという要求があった。しかしながら、花自体のみならず包装紙やリボンにしてもいわゆる「定番もの」から大きく外れたものとすることは記念日という性質上困難であり、結局のところいずれも似たり寄ったりでオリジナリティに欠けるという問題点があった。したがって、花の贈り物を印象深く際立たせることができないという問題点があった。
【０００４】
また、従来では、記念日という特定の「日」にちなんだ装飾が施される特別な工夫ないし演出がなされたものは存在しなかった。
【０００５】
また、花を贈ることにこだわらず、広く外装（包装や外包みや筺体）という概念で捉えてみても、外観であり人目に最もつきやすいにもかかわらず、結局、メーカなどの供給者のデザインに自己の趣味感を合わせねばならないという不都合があった。したがって、必ずしも愛着がわかず買い替えることとなったり、大切に扱うという内部意識が向上するものではなかった。すなわち、従来では長く使用でき愛着のある外装を得られないという問題点があった。
【０００６】
本発明は上記に鑑みてなされたものであって、印象深い花の贈り物を演出できることを目的とする。
【０００７】
また、長く使用でき愛着のある外装を得ることを目的とする。
【０００８】
【課題を解決するための手段】
上記の目的を達成するために、請求項１に記載の包装素材印刷方法は、被包装体の使用者、需用者または被贈答者の記念日に関する情報を入力し、当該記念日に発行された所定の刊行物の記事情報を抽出し、前記被包装体の使用環境に合致した包装素材に当該記事情報を印刷することを特徴とする。
【０００９】
すなわち、請求項１にかかる発明は、使用者、需用者または被贈答者にとって特別な意味をもった包装素材を印刷する。これにより、長く使用でき愛着のある外装（包装素材）を得ることができる。このとき、記事情報とともに記念日を印刷してもよいし、日付の入っている記事情報部分を印刷してもよい。
【００１０】
また請求項２に記載の包装素材印刷装置は、日付を入力する日付入力手段と、日付入力手段により入力された日付の新聞の記事情報を抽出する記事情報抽出手段と、記事情報抽出手段により抽出された記事情報を所定の包装素材に印刷する印刷手段と、を備えたことを特徴とする。
【００１１】
すなわち、請求項２にかかる発明は、記念日の新聞記事を包装資材とすることができる。これにより、花の贈り物を印象深く演出できる。
【００１２】
また、請求項３に記載の包装素材印刷装置は、請求項２に記載の包装素材印刷装置において、贈答用の生花や造花を選択する花選択手段を備え、前記所定の包装素材を、花選択手段により選択された花に適した素材としたことを特徴とする。
【００１３】
すなわち、請求項３にかかる発明は、贈られる側もしくは贈り主側の趣味感に合わせた花を選択でき、包装資材もその花に適したものとすることができる。これにより、花の贈り物を印象深く演出できる。
【００１４】
また、請求項４に記載の包装素材印刷装置は、請求項２または３に記載の包装素材印刷装置において、包装素材を選択する包装素材選択手段を備え、前記所定の包装素材を包装素材選択手段により選択された素材としたことを特徴とする。
【００１５】
すなわち、請求項４にかかる発明は、包装資材を多様な包装資材のなかから贈られる側もしくは贈り主側の趣味感に応じたものとすることができる。これにより、花の贈り物を印象深く演出できる。
【００１６】
また、請求項５に記載の包装素材印刷装置は、請求項２、３または４に記載の包装素材印刷装置において、新聞を指定する新聞指定手段を備え、記事情報抽出手段は、日付入力手段により入力された日付の新聞の記事情報であって新聞指定手段により指定された新聞の記事情報を抽出することを特徴とする。
【００１７】
すなわち、請求項５にかかる発明は、デザインとして用いる新聞記事を多様な新聞種のなかから贈られる側もしくは贈り主側の趣味感に応じたものとすることができる。これにより、花の贈り物を印象深く演出できる。
【００１８】
また、請求項６に記載の包装素材印刷プログラムは、コンピュータを、日付を入力する日付入力手段、日付入力手段により入力された日付の新聞の記事情報を抽出する記事情報抽出手段、および、記事情報抽出手段により抽出された記事情報を所定の包装素材に印刷する印刷手段として機能させることを特徴とする。
【００１９】
すなわち、請求項６にかかる発明は、記念日の新聞記事を包装資材とすることができる。これにより、花の贈り物を印象深く演出できる。
【００２０】
また、請求項７に記載の包装素材印刷プログラムは、請求項６に記載の包装素材印刷プログラムにおいて、さらに、贈答用の生花や造花を選択する花選択手段として機能させ、前記所定の包装素材を、前記花選択手段により選択された花に適した素材としたことを特徴とする。
【００２１】
すなわち、請求項７にかかる発明は、贈られる側もしくは贈り主側の趣味感に合わせた花を選択でき、包装資材もその花に適したものとすることができる。これにより、花の贈り物を印象深く演出できる。
【００２２】
また、請求項８に記載の包装素材印刷プログラムは、請求項６または７に記載の包装素材印刷プログラムにおいて、さらに、包装素材を選択する包装素材選択手段として機能させ、前記所定の包装素材を前記包装素材選択手段により選択された素材としたことを特徴とする。
【００２３】
すなわち、請求項８にかかる発明は、包装資材を多様な包装資材のなかから贈られる側もしくは贈り主側の趣味感に応じたものとすることができる。これにより、花の贈り物を印象深く演出できる。
【００２４】
また、請求項９に記載の包装素材印刷プログラムは、請求項６、７または８に記載の包装素材印刷プログラムにおいて、さらに、新聞を指定する新聞指定手段として機能させ、記事情報抽出手段を、日付入力手段により入力された日付の新聞の記事情報であって新聞指定手段により指定された新聞の記事情報を抽出するように機能させることを特徴とする。
【００２５】
すなわち、請求項９にかかる発明は、デザインとして用いる新聞記事を多様な新聞種のなかから贈られる側もしくは贈り主側の趣味感に応じたものとすることができる。これにより、花の贈り物を印象深く演出できる。
【００２６】
また、請求項１０に記載の包装素材印刷方法は、日付を入力する日付入力工程と、日付入力工程で入力された日付の新聞の記事情報を抽出する記事情報抽出工程と、記事情報抽出工程で抽出された記事情報を所定の包装素材に印刷させる印刷指示工程と、を含んだことを特徴とする。
【００２７】
すなわち、請求項１０にかかる発明は、記念日の新聞記事を包装資材とすることができる。これにより、花の贈り物を印象深く演出できる。
【００２８】
また、請求項１１に記載の包装素材は、前記請求項１に記載の包装素材印刷方法、前記請求項２〜５のいずれか一つに記載の包装素材印刷装置、前記請求項６〜９のいずれか一つに記載の包装素材印刷プログラム、または、前記請求項１０に記載の包装素材印刷指示方法により印刷されたことを特徴とする。
【００２９】
すなわち、請求項１１にかかる発明は、長く使用でき愛着のある外装を得ることができ、また、印象深い花の贈り物を演出することができる。
【００３０】
【発明の実施の形態】
以下、本発明の実施の形態を図面を参照しながら詳細に説明する。本実施の形態では、本発明をコンピュータシステムに適用した場合について説明するが、本発明はこれに限定されず、さまざまに適用可能である。
【００３１】
図１は、本発明の包装素材装置の外観構成図である。包装素材印刷装置１００は、包装素材を印刷するための各種情報を処理する中央処理装置１０１と、中央処理装置１０１で処理された情報を印刷する出力装置１０２と、中央処理装置１０１が必要に応じて外部のデータベースを参照する際に使用するネットワークケーブル１０３と、出力レイアウトを確認する表示装置１０４と、キーボード１０５と、マウス１０６とを備える。
【００３２】
中央処理装置１０１は、キーボード１０５とマウス１０６から入力を受け付け、その入力内容を解析処理する。具体的には、記念日の日付を入力したり、贈る花の種類を選択したり、印刷すべき記事を選択したり、包装素材を選択したりする。これらの処理内容については後に説明するが、包装素材印刷装置１００では適宜表示装置１０４で指示内容を対話的に確認できるように構成する。中央処理装置１０１としては、パーソナルコンピュータをはじめ各種のコンピュータを用いることができる。したがって、中央処理装置１０１は、包装素材印刷指示機能を高めたコンピュータ装置ということができる。パーソナルコンピュータ等を用いることで包装素材印刷装置１００の設計を簡易におこなうことが可能となる。
【００３３】
出力装置１０２は、中央処理装置１０１からの出力指示に従い、所定の日付の所定の新聞記事を、贈る花の種類に適した所定の包装素材に印刷する。ここで、所定の日付とは、贈り主（贈答元）が指定する特別の「日」であって、たとえば、贈られる側（贈答先）の誕生日、結婚記念日、各種賞の受賞日、店舗の開店日（開業日）、出産日などが挙げられる。なお、本実施の形態では慶事を想定しているが、使用の態様によっては弔事に関する日を指定することもできる。
【００３４】
また、所定の新聞記事とは、贈り主（贈答元）が指定する特定の記事であって、たとえば、大手日刊新聞、地方新聞、スポーツ新聞、英字新聞、外国新聞が挙げられる。ここで、記事は第一面のみでなく、たとえば、大手日刊新聞の地方面、スポーツ面、経済面など、贈られる側（贈答先）の好みないし趣味感に応じた記事としてもよい。なお、本実施の形態では新聞紙を想定しているが、これに限定することなく、たとえば、雑誌や機関誌などの新聞以外の刊行物とすることもできる。また、記事とは文字情報のみならず画像情報も含めたもの全てを指す。
【００３５】
また、所定の包装素材とは、贈る花に適した素材であって、贈られる側（贈答先）の好みに応じた素材をいう。包装素材としては、たとえば、新聞紙用用紙、和紙、不織布、不織紙、プラスチック（ビニル、ナイロン）フィルム、クラフト紙、を挙げることができる。ここで、贈る花に適する素材、とは、たとえば生花を贈る場合、切り花であれば水を含んだスポンジに差し込むことがなされるが、万一水が染み出しても濡れたり色が染み出したりせず、外部に影響が及ばない素材をいう。また、たとえばトゲの多い草花である場合には、トゲにより破れの生じにくい素材のことをいう。このほか、重量がかさむ場合には、強度のある素材のことをいう。
【００３６】
なお、ここでは、包装素材を、贈る花を直接くるむ素材として想定している。しかしながら、たとえば、遠隔地に蘭などの繊細な花を送る場合、ダンボールに鉢植えごと梱包する荷姿が採用されるが、このような外包みとしてのダンボール包みも包装素材に含ませてもよい。このようにすることで、たとえば、忙しい開店日に開梱できずに人目にさらされたとしても、ダンボール包みに印刷されている新聞記事がかえって装飾効果を奏して人目を引き、店舗内の景観のアクセントにすることができる。
【００３７】
表示装置１０４は、中央処理装置１０１で実行された各種の処理結果を表示する。表示装置１０４上で包装素材と新聞記事を合成し、仕上り結果を仮想的に表示させることができる。これにより、各種の組み合わせを印刷前に把握でき、贈り主が最適と思う組み合わせを実現することができる。表示装置１０４としては、液晶モニタやＣＲＴモニタを用いることができる。
【００３８】
キーボード１０５は、必要に応じて日付などのテキスト入力やコマンド指示をおこなう際に用いる。また、マウス１０６は、通常のコンピュータ操作指示のほか、記事情報の印刷に関する各種の選択や実行指示を送出する。
【００３９】
なお、本実施の形態では、説明の便宜上、出力装置１０２が中央処理装置１０１と別体である態様を示したが、これに限定することなく、一体となっている構成でもよい。
【００４０】
つぎに、包装素材印刷装置１００のハードウェア構成について説明する。図２は、本発明の毛筆描画装置のハードウェア構成の一例を示した説明図である。包装素材印刷装置１００は、そのハードウェア構成として、図１に示した各構成部のほか、ＣＰＵ２０１と、ＲＯＭ２０２と、ＲＡＭ２０３と、ハードディスク（ＨＤ）２０４と、グラフィックスカード２０５と、ネットワークインターフェースカード（ＮＩＣ）２０６と、入出力インターフェース２０７と、を有する。
【００４１】
ＣＰＵ２０１は、ＯＳ２１１とともに包装素材印刷装置１００全体を制御し、また、印刷プログラム２１２の処理制御をおこなう。また、ＣＰＵ２０１は、必要に応じてＮＩＣ２０６を介してインターネット上のデータベース（外部ＤＢ２６０）から必要な記事情報の抽出処理制御もおこなう。このほか、ＣＰＵ２０１は、グラフィックスカード２０５のＶＲＡＭ（画像ＲＡＭ）に対する描画制御、あるいはハードディスク２０４に格納されている作業データをＲＡＭ２０３に一時保存する制御等もおこなう。
【００４２】
ＲＯＭ２０２は、ブートプログラム等を記憶する。使用の態様によっては、ＲＯＭ２０２が印刷プログラム２１２を格納してもよい。ＲＡＭ２０３は、ＣＰＵ２０１のワークエリアとして使用する。具体的には、ハードディスク２０４から読み出された印刷プログラム２１２や記事情報２２１またはインターネットを介して抽出された記事情報を一時的に格納する。
【００４３】
ハードディスク２０４は、アプリケーション部２１０と、データベース（ＤＢ）部２２０とから構成される。アプリケーション部２１０は、オペレーティング・システム（ＯＳ）２１１と印刷プログラム２１２を有し、このほか、図示を省略するがドライバ等の各種ソフトウェアプログラム（ソフトウェア）を記憶する。ＯＳ２１１は、包装素材印刷装置１００全体を制御する。すなわち、印刷プログラム２１２をはじめとする各種のソフトウェアの処理制御をはじめ、各ハードウェア構成部の起動制御や処理制御もおこなう。
【００４４】
データベース部２２０は、記事情報を格納する。ここで、記事情報は、前述したように、大手日刊新聞、地方新聞、スポーツ新聞、英字新聞、外国新聞などの各種新聞の記事情報を格納する。包装素材印刷装置１００は、特定の日の記事情報を利用するので、ＤＢ内は、新聞種ごとに情報が整理されていることはいうまでもなく、日付ごとに情報を抽出しやすいようにＤＢが構築されていることが好ましい。なお、使用の態様によっては、第一面、地方面、スポーツ面、経済面などの特徴量により抽出ないし選択可能に構成してもよい。
【００４５】
グラフィックスカード２０５は、表示装置１０４へ出力すべき画像信号を送出する。グラフィックスカード２０５は、出力すべき画像信号を格納するＶＲＡＭと、処理された画像信号を表示装置１０４へ出力する画像出力インターフェース（画像出力Ｉ／Ｆ）も備える。動作としては、画像出力Ｉ／Ｆは、ＶＲＡＭに展開されているＲＧＢ画像データを表示装置１０４へ出力する。
【００４６】
ネットワークインターフェースカード（ＮＩＣ）２０６は、ネットワークケーブル１０３およびネットワーク２５０を介して包装素材印刷装置１００が、その外部にある外部データベース（ＤＢ）２６０に接続する際のインターフェースを司る。ネットワーク２５０は、ＬＡＮ、ＷＡＮ、インターネットなど、有線無線の別なく全てのネットワークを含む。したがって、ＮＩＣ２０６は、包装素材印刷装置１００が接続されるネットワークに応じて通信プロトコルを適切に処理する。なお、本実施の形態では、包装素材印刷装置１００がＤＢ部２２０に格納された記事情報２２１を検索し、所望の記事情報が格納されていない場合に外部ＤＢ２６０から記事情報の抽出処理をおこなうが、使用の態様により、ＤＢを内部と外部に分散させることなく、内部ＤＢのみとしてもよいし、外部ＤＢのみとしてもよい。
【００４７】
周辺機器インターフェース（Ｉ／Ｆ）２０７は、キーボード１０５やマウス１０６や出力装置１０２といった機器の入出力制御をおこなうインターフェースである。Ｉ／Ｆは、たとえばＲＳ２３２Ｃ、ＵＳＢ等による接続態様を採用することができる。
【００４８】
出力装置１０２は、印字部２３０と、包装素材格納部２４０と有する。印字部２３０は、実際に包装素材に記事情報を印刷する画像形成部２３１と印刷に必要なインクを格納するインク部２３２とを有する。本実施の形態では、包装素材印刷装置１００の印刷形式は、インクジェット印刷型式としているが、これに限定することなく、オフセット印刷形式やレーザープリント形式など、さまざまな印刷形式を採用することができる。
【００４９】
包装素材格納部２４０は、前述した各種の包装素材（新聞紙用用紙、和紙、不織布、不織紙、ビニルフィルムなど）を格納する。包装素材は、有彩色、無彩色を問わず各種の下地色が用意され、また、無色透明、有色透明、半透明のほか、金属色や玉虫色の下地色であってもよい。また、用紙の大きさは包装すべき花束により必ずしも大きさが一定しないので、巻紙形式で格納しておくことが好ましい。
【００５０】
このほか、包装素材印刷装置１００は、必要に応じてフレキシブルディスクドライブ装置、ＣＤ−ＲＯＭドライブ装置、ＭＯドライブ装置等を搭載することも可能である。
【００５１】
つぎに、包装素材印刷装置１００の機能的構成について説明する。図３は、包装素材印刷装置１００の機能的構成の一例を示した説明図である。包装素材印刷装置１００は、その機能的構成として、日付入力部３０１と、新聞指定部３０２と、記事情報抽出部３０３と、花選択部３０４と、包装素材選択部３０５と、印刷部３０６とを有する。
【００５２】
日付入力部３０１は、日付を入力する。この日付を、花を贈られる側（贈答先）の記念日とすることにより、印象深い花の贈り物を演出可能となる。日付は、たとえば、成人式に対する祝いの場合には誕生日とすることができ、金婚式に対する祝いの場合には結婚記念日とすることができる。また、独立開業の祝いの場合は就職日や資格取得日としてもよい。日付入力部３０１は、たとえばキーボード１０５と、印刷プログラム２１２と、表示装置１０４などによりその機能を実現することができる。
【００５３】
新聞指定部３０２は、新聞を指定する。指定は一種のみならず複数の新聞を指定可能にしてもよい。このとき指定された複数の新聞は、最終的な一紙を決定する際の参照情報として使用してもよいし、複数の新聞を用いて秩序立ててもしくはランダムに区割りして張り付けるために使用してもよい。新聞指定部３０２は、たとえば、マウス１０６と、印刷プログラム２１２と、表示装置１０４などによりどの機能を実現することができる。
【００５４】
記事情報抽出部３０３は、日付入力部３０１で入力された日付の新聞であって新聞指定部３０２で指定された新聞の記事情報を抽出する。記事情報の抽出に際しては、まず、ＤＢ部２２０の記事情報２２１から該当する記事情報を検索し、該当するものがない場合には、外部ＤＢの記事情報を検索する。該当する記事がある場合は、ＤＢからその記事情報を抽出する。なお、過去のあらゆる記事情報を抽出可能とするのに困難がある場合には、適宜蓄積情報を表示装置１０４を介して表示させることにより選択可能な記事を明示するようにしてもよい。記事情報抽出部３０３は、たとえば、ＯＳ２１１、印刷プログラム２１２、ＣＰＵ２０１、ＤＢ部２２０、ＮＩＣ２０６、ネットワークケーブル１０３などによりその機能を実現することができる。
【００５５】
花選択部３０４は、贈るべき花、すなわち、贈答用の生花や造花を選択する。選択の仕方としては、生花と造花の区別のほか、花の種類、アレンジメントの態様（本数、ボリューム、色、鉢・台座・かごの有無、含水スポンジの有無など）も指定する。指定は表示装置１０４に表示させた画面により対話的に選択可能にする。このように指定することにより、贈る花に適した包装素材の決定ないし提案が可能となる。花選択部３０４は、たとえば、マウス１０６、印刷プログラム２１２と、表示装置１０４などによりその機能を実現することができる。
【００５６】
包装素材選択部３０５は、包装素材を選択する。選択に際しては、あらかじめ花選択部３０４で選択された花に適した包装素材の一覧を表示装置１０４で表示させ、そのなかから選択するようにしてもよい。また、包装素材は複数選択可能にして、外側は透明フィルム、内側は不織布というように組み合わせを可能としてもよい。このように組み合わせることで一層の華やかさを演出できる。
【００５７】
また、花束の場合には、束の根本を外側からリボンなどで結わえるが、包装素材選択部３０５は、このリボン素材も選択可能としてもよい。選択されたリボンには、日付入力部３０１で入力した日付が印刷される態様としてもよい。また巾広のリボンを選択し、新聞指定部３０２で指定した新聞記事を印刷して、適宜折り畳んで花束に結わえるようにしてもよい。このようにリボン素材を選択することにより、メッセージカードとは異なる演出が可能となるし、折り畳まれたリボンの場合には贈られた側が、広げる楽しさとともに贈り側の細やかな気遣いに感動することとなる。包装素材選択部３０５は、たとえば、マウス１０６、印刷プログラム２１２と、表示装置１０４と、包装素材格納部３４０などによりその機能を実現することができる。
【００５８】
印刷部３０６は、記事情報抽出部３０３で抽出された記事情報を包装素材選択部３０５で選択された包装素材に印刷する。印刷に際しては、新聞記事そのもののレイアウトを使用してもよいし、ランダムに区割りして新聞記事を張り付けてもよい。特にカラー写真記事の場合はそのまま着色してもよいが、たとえばセピア色のようにモノトーンで退色表示してもよい。なお、印刷部３０６は、使用する包装素材に適した印刷制御を施す。たとえばインクの定着に時間がかかる場合には搬送速度を小さくする。また、包装素材の色と合成されてしまい所期の色表現が再現されない場合には下地処理したり補正した色を印刷したりするようにする。印刷部３０６は、たとえば、出力装置１０２と、印刷プログラム２１２などによりその機能を実現することができる。
【００５９】
なお、以上の機能的構成は、花を送る場合について説明したが、これに限定することなく、各種の贈り物に対して適用可能である。具体的には、花選択部３０４をギフト選択部３０４として各種の贈答品を選択可能とし、それに対するラッピングを決定する態様としてもよい。
【００６０】
つぎに、包装素材印刷装置１００で印刷された包装資材の例を挙げる。図４は、新聞記事が印刷された包装資材の例を示した説明図である。このうち、図４（ａ）は、英字新聞を印刷した包装資材、図４（ｂ）は、地方紙を印刷した包装資材、図４（ｃ）は、ランダムに区割りして記事を張り付けた包装資材である。図では必ずしも明瞭でないが、各資材とも日付入りとしている。日付を必ず印刷することにより、さりげなく贈答効果を演出できる。
【００６１】
図５は、包装素材印刷装置１００で印刷された包装資材で花束を包装した様子を示した図である。図示したように、包装といっても必ずしも全てを密接にくるんでいるのでない。すなわち、本発明における包装とは外側に包まれているものもしくは外側にあてがわれているものも含むものとする。図６は、鉢植え花（たとえば胡蝶蘭）の贈り物を遠隔地に搬送するための包装素材（梱包用ダンボール）の印刷例を示した図である。図示したように直方体に組み立てられる梱包用ダンボールの外側には、新聞記事が印字されている。
【００６２】
つぎに、包装素材印刷装置の他の構成例について説明する。図７は、包装素材印刷装置の他の構成例を示した説明図である。図示したように、本発明はクライアントサーバシステムとして構築されている。包装素材印刷システム４００は、贈り主（贈答者）側に配された注文クライアント装置４０１と、包装素材印刷指示サーバ装置４０２と、花屋側に配された印刷クライアント装置４０３と、外部ＤＢ４０４と、ネットワーク４０５とから構成される。
【００６３】
花を贈ろうとする者（贈答元）は、注文クライアント装置４０１を操作して注文処理をおこなう。注文クライアント装置４０１は、インターネットに接続可能であってブラウザ操作が可能であればよく、通常のパーソナルコンピュータを用いることができる。注文クライアント装置４０１の処理としては、ネットワーク４０５を介して包装素材印刷指示サーバ装置４０２に接続し、このサーバ上の発注ページのダウンロード要求を送信する。ダウンロードされたページは、注文クライアント装置４０１で閲覧可能にブラウザ処理され、贈答者のマウスクリックやキーボード操作に応じて、ダウンロード要求送信とダウンロードを繰り返し、贈答者の注文を対話的に処理する。
【００６４】
図８は、発注ページの構成例を示した図である。図示したように、ページには贈答種別（誕生祝、結婚祝、開所祝、就学祝、合格祝、・・・）をプルダウンメニューにより選択可能な贈答種別メニュー５０１と、特定の記念日を入力する日付入力欄５０２と、新聞種（ＮｅｗＹｏｒｋＴｉｍｅｓ、ＷａｓｈｉｎｇｔｏｎＰｏｓｔ、Ｓｕｎ、朝日新聞、読売新聞、日本経済新聞、東京スポーツ、山陰中央新報、・・・）をプルダウンメニューにより選択可能な新聞選択メニュー５０３と、花種別（胡蝶蘭３本立（白）、胡蝶蘭５本立（白）、胡蝶蘭３本立（ピンク）、バラ＆かすみ草アレンジメント、・・・）をプルダウンメニューにより選択可能な花選択メニュー５０４と、包装素材（不織布（白：粗目）、不織布（白：密目）、・・、透明フィルム、半透明（オレンジ）フィルム、半透明（ブルー）フィルム、・・、銀光沢フィルム、金光沢フィルム、・・・、新聞紙用要旨、・・・）をプルダウンメニューにより選択可能な包装素材選択メニュー５０５と、配達希望日を記入する配達希望日記入欄５０６と、配達先を記入する配達先記入欄５０７と、贈答者に関する情報を入力する贈答者情報記入欄５０８と、指定した花・記事情報・包装素材の組み合わせのイメージを表示する表示欄５０９と、を有する。また、最終的に発注する際に使用する発注確定ボタン５１０も有する。このほか、予算を記入するメニューを設けて、その予算内で選択できるもののみを表示させるようにしてもよい。
【００６５】
包装素材印刷指示サーバ装置４０２は、注文クライアント装置４０１の要求に応じて、発注ページを構成する各種ファイルを送信する。また、日付入力欄５０２で入力された日における記事情報であって、新聞選択メニュー５０３で選択された記事情報を抽出する。このとき、該当する記事情報がサーバ内に蓄積されていない場合には、包装素材印刷指示サーバ装置４０２は外部ＤＢ４０４を検索し、該当する新聞記事を抽出する。なお、外部ＤＢ４０４としては、たとえば、各種新聞社のＤＢを挙げることができる。注文クライアント装置４０１から発注確定ボタン５１０の押下信号を受信すると、包装素材印刷指示サーバ装置４０２はそれまでに受信した情報に基づいて、配達先に最も近い印刷クライアント装置４０３を探しだし、印刷指示を送信する。なお、最寄りの印刷クライアント装置４０３で発注内容を満たせない場合は包装素材印刷指示サーバ装置４０２はつぎに近い印刷クライアント装置４０３に印刷指示を送信する。
【００６６】
印刷クライアント装置４０３は、包装素材印刷指示サーバ装置４０２から印刷指示を受信して、発注者が希望した包装資材を印刷する。印刷クライアント装置４０３が配置されている花屋は、印刷された包装資材を用いて発注者が希望した花種種別を包装し、指定の日に指定の配達先へ届ける。
【００６７】
なお、以上の態様では、印刷クライアント装置４０３が花屋に配置された場合について説明したが、花屋とこれにリンクした印刷会社にクライアント装置を配し、包装素材印刷指示サーバ装置４０２が花屋と印刷会社にともに発注情報を送信してこれにより印刷機能と配達機能を実現させてもよい。
【００６８】
以上は、花を包装するための包装素材の印刷に関するものであるが、包装されるもの（被包装体）はこれに限定されるものではない。図９は、記事情報の印刷された包装資材を携帯電話に密着させて包装した例を示した説明図である。携帯電話のように画一化された外観をもつ工業的量産品であっても、自分のみのオリジナルの包装素材であって、かつ、自分の記念日に関連した素材により包装できるので、愛着をもって長く使用可能となる。
【００６９】
なお、被包装体は特に限定されるものでないので、包装素材は、被包装体の使用環境に合致したものとする。たとえば、屋外や日光の当たりやすい場所で使用される被包装体である場合には、包装素材やインクを紫外線に対して劣化しにくいものとする。また、湿気の多い状況下で使用される被包装体である場合には、包装素材やインクを耐水性のあるものとする。また、高温下で使用される被包装体である場合には、包装素材やインクを耐熱性のあるものとする。
【００７０】
なお、包装素材印刷装置１００または、包装素材印刷システム４００に、料金計算機能を含ませてもよい。この機能は、ユーザ（贈答者）へ提示する商品代金（花代、包装資材代、配送代）はもとより、包装素材印刷装置１００または包装素材印刷指示サーバ装置４０２が払うべきＤＢ（ＤＢ部２２０、外部ＤＢ２６０、外部ＤＢ４０４）の著作権使用料の計算機能を含ませてもよい。
【００７１】
最後に、本発明の処理流れについて説明する。図１０は、本発明の処理流れについて説明するフローチャートである。まず、日付に関する情報と新聞に関する情報を入力する（ステップＳ６０１）。つぎに、入力された日付に関する情報と新聞に関する情報に基づいて、該当する記事情報を抽出する（ステップＳ６０２）。これとは別に、花に関する情報を入力し（ステップＳ６０３）、入力された花に関する情報に基づいて、この花に適した包装素材を決定する（ステップＳ６０４）。最後に、決定された包装素材に、日付を含む記事情報を印刷する（ステップＳ６０５）。なお、ステップＳ６０５では、日付を含む記事情報の印刷指示を出力するようにしてもよい。
【００７２】
【発明の効果】
以上説明したように、本発明によれば、印象深い花の贈り物を演出できる。また、長く使用でき愛着のある外装を得ることができる。
【図面の簡単な説明】
【図１】本発明の包装素材装置の外観構成図である。
【図２】本発明の毛筆描画装置のハードウェア構成の一例を示した説明図である。
【図３】包装素材印刷装置の機能的構成の一例を示した説明図である。
【図４】新聞記事が印刷された包装資材の例を示した説明図である。
【図５】包装素材印刷装置で印刷された包装資材で花束を包装した様子を示した図である。
【図６】鉢植え花（たとえば胡蝶蘭）の贈り物を遠隔地に搬送するための包装素材（梱包用ダンボール）の例を示した図である。
【図７】包装素材印刷装置の他の構成例を示した説明図である。
【図８】発注ページの構成例を示した図である。
【図９】記事情報の印刷された包装資材を携帯電話に密着させて包装した例を示した説明図である。
【図１０】本発明の処理流れについて説明するフローチャートである。
【符号の説明】
１００　包装素材印刷装置
１０１　中央処理装置
１０２　出力装置
１０３　ネットワークケーブル
１０４　表示装置
２０４　ハードディスク
２０６　ネットワークインターフェースカード（ＮＩＣ）
２０７　入出力インターフェース
２１０　アプリケーション部
２１２　印刷プログラム
２２０　データベース部，ＤＢ部
２２１　記事情報
２３０　印字部
２３１　画像形成部
２３２　インク部
２４０　包装素材格納部
２５０　ネットワーク
２６０　外部ＤＢ
３０１　日付入力部
３０２　新聞指定部
３０３　記事情報抽出部
３０４　花選択部
３０５　包装素材選択部
３０６　印刷部
３４０　包装素材格納部
４００　包装素材印刷システム
４０１　注文クライアント装置
４０２　包装素材印刷指示サーバ装置
４０３　印刷クライアント装置
４０４　外部ＤＢ
４０５　ネットワーク
５０１　贈答種別メニュー
５０２　日付入力欄
５０３　新聞選択メニュー
５０４　花選択メニュー
５０５　包装素材選択メニュー
５０６　配達希望日記入欄
５０７　配達先記入欄
５０８　贈答者情報記入欄
５０９　表示欄
５１０　発注確定ボタ
【図１】
2004142348.tif 000003
【図２】
2004142348.tif 000004
【図３】
2004142348.tif 000005
【図４】
2004142348.tif 000006
【図５】
2004142348.tif 000007
【図６】
2004142348.tif 000008
【図７】
2004142348.tif 000009
【図８】
2004142348.tif 000010
【図９】
2004142348.tif 000011
【図１０】
2004142348.tif 000012